(57)【要約】【課題】  毛髪挿入具の毛髪保持具への挿入操作が簡便で、毛髪挿入具を毛髪保持具にスムーズに挿入することができる毛髪処理器具を提供すること。【解決手段】  一端の開口部Ｔ１から他端の開口部Ｔ２に向けて毛髪束Ｈを挿通可能にシートにより構成された扁平形状の筒状体からなる毛髪保持具Ｔと、該毛髪保持具Ｔの内部に毛髪束Ｈを挿入又は挿通する毛髪挿入具１とからなる毛髪処理器具であって、前記毛髪保持具Ｔは、所定形状に巻き上げた状態が保持されるようにくせ付けをされており、前記毛髪挿入具１は、前記筒状体の内部に、前記一端の開口部Ｔ１から前記他端の開口部Ｔ２に向けて挿通することにより、該内部を略直線状に矯正し得るようになっている。【選択図】  図６
2005185533.tif 000002
【特許請求の範囲】
【請求項１】
一端の開口部から他端の開口部に向けて毛髪束を挿通可能にシートにより構成された扁平形状の筒状体からなる毛髪保持具と、該毛髪保持具の内部に毛髪束を挿入又は挿通する毛髪挿入具とからなる毛髪処理器具であって、
前記毛髪保持具は、所定形状に巻き上げた状態が保持されるようにくせ付けをされており、
前記毛髪挿入具は、前記筒状体の内部に、前記一端の開口部から前記他端の開口部に向けて挿通することにより、該内部を略直線状に矯正し得るようになっている毛髪処理器具。
【請求項２】
前記毛髪挿入具の長手方向のテーバーこわさが１５ｍＮ・ｍ以上である請求項１記載の毛髪処理器具。
【発明の詳細な説明】
【技術分野】
【０００１】
本発明は、一端の開口部から他端の開口部に向けて毛髪束を挿通可能にシートにより構成された扁平形状の筒状体からなる毛髪保持具と、該毛髪保持具の内部に毛髪束を挿入又は挿通する毛髪挿入具とからなる毛髪処理器具に関する。
【背景技術】
【０００２】
下記特許文献１には、一端の開口部から他端の開口部に向けて毛髪束を挿通可能にシートにより構成された扁平形状の筒状体からなる毛髪保持具と、該毛髪保持具の内部に毛髪束を挿入又は挿通する毛髪挿入具とからなる毛髪処理器具が記載されている。そして、下記特許文献１には、毛髪保持具の一形態として、所定形状に巻き上げた状態が保持されるようにくせ付けをされた毛髪保持具が記載され、毛髪挿入具の一形態として、細長形状の把持部と該把持部の先端に取り付けられたループ状のフック部とが針金から形成された毛髪挿入具が記載されている。
このような毛髪処理器具によれば、毛髪挿入具のフック部に毛髪束を係止し、その状態の毛髪挿入具を毛髪保持具に挿入、挿通し、その後、毛髪挿入具から毛髪束を外すことにより、毛髪保持具に毛髪束を挿通することができる。
【発明の開示】
【発明が解決しようとする課題】
【０００３】
しかし、前記毛髪処理器具においては、毛髪挿入具が針金から形成され、剛性が低いものであるため、毛髪束を係止した毛髪挿入具を毛髪保持具に挿入する前に、毛髪保持具を巻き上げた状態から引き伸ばし、この引き伸ばし状態を保持しながら毛髪保持具に毛髪挿入具を挿入する必要があり、しかも毛髪挿入具の剛性が低く、毛髪挿入具の毛髪保持具への挿入性がよくないため、毛髪挿入具の毛髪保持具への挿入操作が煩雑であり、毛髪挿入具を毛髪保持具にスムーズに挿入し難い。さらに毛髪挿入具の剛性が充分でないと毛髪保持具の矯正が充分に行われず、保持具内部の空間が形成されず、毛髪の挿入ができ難い。
【０００４】
従って、本発明の目的は、毛髪挿入具の毛髪保持具への挿入操作が簡便で、毛髪挿入具を毛髪保持具にスムーズに挿入することができる毛髪処理器具を提供することにある。
【０００５】
【特許文献１】特開２００３−９３１３３号公報
【課題を解決するための手段】
【０００６】
本発明は、一端の開口部から他端の開口部に向けて毛髪束を挿通可能にシートにより構成された扁平形状の筒状体からなる毛髪保持具と、該毛髪保持具の内部に毛髪束を挿入又は挿通する毛髪挿入具とからなる毛髪処理器具であって、前記毛髪保持具は、所定形状に巻き上げた状態が保持されるようにくせ付けをされており、前記毛髪挿入具は、前記筒状体の内部に、前記一端の開口部から前記他端の開口部に向けて挿通することにより、該内部を略直線状に矯正し得るようになっている毛髪処理器具を提供することにより前記目的を達成したものである。
【発明の効果】
【０００７】
本発明の毛髪処理器具によれば、毛髪挿入具の毛髪保持具への挿入操作が簡便で、毛髪挿入具を毛髪保持具にスムーズに挿入することができ、かつ毛髪保持具を矯正することによって毛髪保持具内部への毛髪挿入をスムーズに行うことができる。
【発明を実施するための最良の形態】
【０００８】
以下、本発明の毛髪処理器具を、その好ましい一実施形態について、図面を参照して説明する。
本実施形態の毛髪処理器具は、図６及び図７に示すように、一端の開口部Ｔ１から他端の開口部Ｔ２に向けて毛髪束Ｈを挿通可能にシートにより構成された扁平形状の筒状体からなる毛髪保持具Ｔと、該毛髪保持具Ｔの内部に毛髪束Ｈを挿入又は挿通する毛髪挿入具１とからなる毛髪処理器具であって、前記毛髪保持具Ｔは、所定形状に巻き上げた状態が保持されるようにくせ付けをされており、前記毛髪挿入具１は、前記筒状体の内部に、前記一端の開口部Ｔ１から前記他端の開口部Ｔ２に向けて挿通することにより、該内部を略直線状に矯正し得るようになっている。
【０００９】
先ず、本実施形態の毛髪処理器具における毛髪保持具Ｔについて詳述する。
毛髪保持具Ｔは、図１に示すように、一端の開口部Ｔ１及び他端の開口部Ｔ２を有する筒状体から構成されている。該筒状体は、２枚の矩形状のシートを、その長手方向に沿う側縁部同士を接合させて形成されている。
毛髪保持具Ｔの大きさは、毛髪の長さやくせ付けしたい場所、挿入する毛髪束の量に応じて適宜選択できる。
【００１０】
毛髪保持具Ｔの筒状体は、ロール状に巻き上げた状態が保持されるように、所定の手段によってくせ付けをされている。そのため、筒状体は、その長手方向に引き伸ばした状態〔図１（ａ）参照〕にして、その状態から解放すると、図１（ｂ）及び（ｃ）に示すように、ロール状に巻き上げられた状態へと自発的に巻き上げられるようになっている。
毛髪保持具Ｔの筒状体にくせ付けをするためには、その構成シートとして所定の形状に形成された弾性変形可能な材料を用いることが簡便である。該弾性変形可能な材料としては、ポリエチレンテレフタレート、ポリプロピレン、ポリスチレン、ポリアクリロニトリルなどが挙げられる。これらの弾性変形可能な材料を用いて筒状体にロール状のくせ付けをするには、筒状体をロール状に巻き上げ、所定の手段によってその巻き上げ形態を保持し、その状態下に筒状体を所定温度に加熱すればよい。
【００１１】
この毛髪保持具Ｔによれば、筒状体内に毛髪を挿入した後、引き伸ばした状態にある筒状体の引き伸ばし状態を解除すれば、筒状体は自発的に巻き上げられる。従って、この毛髪保持具Ｔは巻き上げ操作が全く不要である。その上、クリップ等の巻き上げ形態を保持するための手段が不要であるという利点もある。
【００１２】
次に、本実施形態の毛髪処理器具における毛髪挿入具１について詳述する。
本実施形態の毛髪挿入具１は、図２に示すように、毛髪束Ｈを係止し得る係止部６を一端部に有する長尺状の本体として、板状部材２を備える。該板状部材２は、毛髪挿入具１のの長手方向中央部から他端部（図面下方）に亘っている。板状部材２には、略矩形の切り抜き２８が複数個長手方向に離間して形成されている。
板状部材２の一端部には、枠状の係止部６が設けられている。係止部６の内周面のうち板状部材２の幅方向の一辺に、複数本の櫛歯６１が板状部材２の他端部に向けて形成されている。
【００１３】
本実施形態の毛髪挿入具１には、図２及び図３に示すように、摺動部材３が設けられている。該摺動部材３は、係止部６よりも厚さ及び幅が大きくなっており、フック部６近傍に、毛髪挿入具１の長手方向に摺動自在に設けられている。
摺動部材３の下部には、図２（ｃ）に示すように、挿通孔部３５が形成されており、係止部６が挿通孔部３５を挿通するように設けられている。そして、摺動部材３は、図３に示すように、上方に移動させるとその内部に係合部６の櫛歯６１近傍を収納し得るようになっている。
【００１４】
板状部材２と係止部６との境界近傍における一方の側縁部には、毛髪挿入具１の幅方向外方に延出する下ストッパー部２７Ａが設けられている。係止部６の上端部近傍における両側縁部には、毛髪挿入具１の幅方向外方に延出する上ストッパー部２７Ｂがそれぞれ設けられている。そして、摺動部材３は、図２（ａ）に示すように下ストッパー２７Ａに突き当たるまで下方に移動でき、図３に示すように上ストッパー２７Ｂに突き当たるまで上方に移動できるようになっている。
そのため、本実施形態の毛髪挿入具１においては、図４（ａ）に示すように摺動部材３が下方に位置する状態において、図４（ｂ）に示すように毛髪束Ｈを係止部６の櫛歯６１に係止させ、図４（ｃ）に示すように摺動部材３を上方に移動させることにより、毛髪束Ｈを、係止部６に係止させた状態で、該係止部６と摺動部材３とで固定できるようになっている。
【００１５】
本発明の毛髪処理器具における毛髪挿入具は、合成樹脂材料の切削又は成形加工、金属材料の切削加工等により形成することができ、本実施形態においては、合成樹脂材料の切削加工により形成されている。
尚、毛髪挿入具１の先端部は図２に示すようにＲを付けて丸みを持たせるのが、毛髪保持具への挿入性の面で好ましい。
本発明における毛髪挿入具の長手方向のテーバーこわさは、好ましくは１５ｍＮ・ｍ以上、更に好ましくは３０ｍＮ・ｍ以上である。このテーバーこわさは、ＪＩＳ  Ｐ８１２５に規定される「こわさ試験方法」により測定されるテーバーこわさで評価される。
毛髪挿入具のテーバーこわさは、毛髪挿入具の剛性に実質的に影響を与えない部材（例えば、図２に示す毛髪挿入具における摺動部材３）がある場合にあってはそれを外した状態の毛髪挿入具について、そのような部材がない場合にあっては毛髪挿入具全体について、前記こわさ試験方法によりテーバーこわさを測定し、評価される。
【００１６】
本実施形態の毛髪処理器具においては、毛髪挿入具１が高い剛性を有しているため、毛髪挿入具１を毛髪保持具Ｔの筒状体の内部に、一端の開口部Ｔ１から他端の開口部Ｔ２に向けて挿入すると、筒状体の内部を略直線状に矯正し得るようになっている。
本発明の毛髪処理器具における毛髪挿入具において、「（内部を）略直線状に」とは、幾何学的に直線状の場合のみならず、毛髪の挿入性に支障がない範囲で湾曲している場合を含む。具体的には、図５に示すように、筒状体Ｔを側面視した場合に、筒状体Ｔの厚さ方向の中心線Ｃを基準線として、筒状体Ｔの一端の開口部Ｔ１と他端の開口部Ｔ２との距離Ｌに対する、一端の開口部Ｔ１と他端の開口部Ｔ２とを結ぶ直線からの前記中心線Ｃの最大高さＨの比（Ｈ／Ｌ）が０〜０．３５である場合を含む。
【００１７】
次に、図１に示す毛髪保持具Ｔと図２に示す毛髪挿入具１とからなる毛髪処理器具の一使用態様について、図４、図６及び図７を参照しながら説明する。
図４（ａ）に示すように摺動部材３を下方に配置する。次に、図４（ｂ）に示すように毛髪束Ｈを係止部６の櫛歯６１に係止する。次いで、図４（ｃ）に示すように摺動部材３を上方に移動する。このようにして、毛髪束Ｈを、係止部６に係止させた状態で、該係止部６と摺動部材３とで固定する。
そして、毛髪束Ｈが固定された状態の毛髪挿入具１を、図６（ａ）及び（ｂ）に示すように、板状部材２の他端部から毛髪保持具Ｔの一端の開口部Ｔ１へ挿入する。ここで、本実施形態における毛髪挿入具１は、十分に大きな剛性を有しているため、毛髪挿入具１を毛髪保持具Ｔの筒状体の内部に挿入して行くと、巻き上げ状態の毛髪保持具Ｔについて巻き上げ状態を徐々に略直線状に引き伸ばすことができる。
【００１８】
更に毛髪挿入具１を板状部材２の他端部が毛髪保持具Ｔの他端の開口部Ｔ２から露出するまで毛髪保持具Ｔ内に挿入すると、図７（ａ）に示すように毛髪保持具Ｔ全体が毛髪挿入具１により略直線状に引き伸ばされる。
そして、図７（ｂ）に示すように、毛髪挿入具１を毛髪保持具Ｔの他端の開口部Ｔ２から抜き出す。尚、本発明においては、毛髪の挿入性の観点から、予め毛髪保持具の中に毛髪挿入具を挿入しておき、その後毛髪を毛髪挿入具にセットし、毛髪挿入具を毛髪保持具から抜き出すことにより毛髪を毛髪保持具に導くのが好ましい。
【００１９】
このようにして毛髪挿入具１を毛髪保持具Ｔの一端の開口部Ｔ１から他端の開口部Ｔ２に挿通させると、毛髪束Ｈの先端が毛髪保持具Ｔの他端の開口部Ｔ２から少しはみ出た状態となる。その後、毛髪保持具Ｔは、それに付与されたくせ付けにより、図７（ｃ）に示すように自発的に巻き上がる。その結果、毛髪束に所定の巻きぐせを付与することができる。
尚、必ずしも、毛髪束Ｈの先端を毛髪保持具Ｔの他端の開口部Ｔ２からはみ出させる必要はない。また、毛髪束には、明確には束になっていないが、ある程度の本数の毛髪がまとまっているものを含む。
【００２０】
このように、本実施形態の毛髪処理器具においては、所定形状に巻き上げた状態が保持されるようにくせ付けをされた毛髪保持具Ｔの内部に、毛髪束Ｈが固定された状態の毛髪挿入具１を一端の開口部Ｔ１から他端の開口部Ｔ２に向けて、該内部を略直線状に矯正しながら挿通することができるので、毛髪挿入具１の毛髪保持具Ｔへの挿入操作が簡便で、毛髪挿入具１を毛髪保持具Ｔにスムーズに挿入することができる。
【００２１】
本発明の毛髪処理器具は、前述した実施形態に制限されることなく、本発明の趣旨を逸脱しない限り、適宜変更が可能である。
前記実施形態における毛髪挿入具においては、高い剛性とすることにより、「筒状体の内部に、一端の開口部から他端の開口部に向けて挿通することにより、該内部を略直線状に矯正し得る」構成としているが、本発明における毛髪挿入具においては、筒状体の内部を略直線状に矯正できれば、斯る構成に制限されない。
【００２２】
本発明における毛髪挿入具は、前述した実施形態のような板状部材からなるものに制限されず、円形断面の部材、三角形断面の部材、四角形以上の多角形の部材からなるものでもよい。
本発明における毛髪保持具の筒状体の巻き上げ形態は、前記実施形態のような渦巻ばね状に制限されず、目的に応じ、蛇腹状、ジグザグ状、スパイラル状などの種々の形態とすることができる。筒状体は、その形成方法について特に制限はなく、シートを縫合、融着又は接着して形成したものでも、押出成形等により当初から扁平筒状に形成したものでもよい。
【図面の簡単な説明】
【００２３】
【図１】図１は、本発明の毛髪処理器具における毛髪保持具の一実施形態を示す斜視図で、（ａ）は伸長状態を示す図、（ｂ）及び（ｃ）は巻き上げ状態を順次示す図である。
【図２】図２は、本発明の毛髪処理器具における毛髪挿入具の一実施形態を示す図で、（ａ）は正面図、（ｂ）は左側面図、（ｃ）は（ｂ）の部分断面図である。
【図３】図３は、図２に示す実施形態の毛髪挿入具について、摺動部材を上方に移動させた状態を示す図〔図２（ａ）対応図〕である。
【図４】図４は、図２に示す実施形態の毛髪挿入具の一使用態様を示す図で、（ａ）、（ｂ）及び（ｃ）は、それぞれ毛髪挿入具への毛髪束の係止手順を順次示す正面図である。
【図５】図５は、本発明における「略直線状」の規定方法を示す図である。
【図６】図６は、図１に示す毛髪保持具及び図２に示す毛髪挿入具からなる毛髪処理器具の一使用態様を示す図で、（ａ）及び（ｂ）は、それぞれ毛髪挿入具の毛髪保持具への挿通手順を順次示す斜視図である。
【図７】図７（ａ）、（ｂ）及び（ｃ）は、それぞれ図６に示す挿通手順の続きを順次示す斜視図である。
【符号の説明】
【００２４】
１  毛髪挿入具
２  板状部材
３  摺動部材
６  係止部
６１  櫛歯
Ｈ  毛髪束
Ｔ  毛髪保持具
Ｔ１  一端の開口部
Ｔ２  他端の開口部
【図１】
2005185533.tif 000003
【図２】
2005185533.tif 000004
【図３】
2005185533.tif 000005
【図４】
2005185533.tif 000006
【図５】
2005185533.tif 000007
【図６】
2005185533.tif 000008
【図７】
2005185533.tif 000009